(57)【特許請求の範囲】
【請求項１】
ａ）ワークピースに作用する丸刃、
ｂ）前記丸刃を収容し、支持する丸刃ハウジング、
ｃ）電動機であって、該電動機の軸の回転軸線（Ｙ）が前記丸刃の回転軸線（Ｘ）と平行である電動機
ｄ）前記電動機を支持する電動機ハウジング、
ｅ）前記電動機から前記丸刃にエネルギーを移送する伝導装置、
ｆ）前記丸刃を前記ワークピースに対して移動させるための握り部であって、前記電動機ハウジングと前記握り部とは一体的なユニットとなっており、該ユニットは、丸鋸の動作中に、前記丸刃ハウジングに対して該ユニットの回転軸線の周りに回転可能である握り部、および
ｇ）前記ユニットを前記丸刃ハウジングに結合する結合部材
を備える丸鋸。
【請求項２】
前記握り部は、前記電動機の軸の回転軸線から離隔し、かつこれに垂直な第１の握り部軸線を有する第１の握り部分を備える請求項１に記載の丸鋸。
【請求項３】
前記握り部は、
第２の握り部軸線を有する第２の握り部分を備える請求項１に記載の丸鋸。
【請求項４】
前記第２の握り部軸線は前記電動機の軸の回転軸線に平行である請求項３に記載の丸鋸。
【請求項５】
前記ユニットは、前記丸刃ハウジングに対して９０°以下の角度で回転可能である請求項１に記載の丸鋸。
【請求項６】
前記ユニットは段階的に回転可能である請求項１に記載の丸鋸。
【請求項７】
前記ユニットは連続的に回転可能である請求項１に記載の丸鋸。
【請求項８】
前記電動機が静止している際に、前記ユニットは前記丸刃ハウジングに対して所望の角度配置で固定可能である請求項１に記載の丸鋸。
【請求項９】
前記結合部材は、
前記ユニットと前記丸刃ハウジングとが互いに対してスライドして回転できるようにするスライド機構を備える請求項１に記載の丸鋸。
【請求項１０】
前記結合部材は、
リング状の第１の結合部分とリング状の第２の結合部分を備え、前記第１の結合部分は前記ユニットに堅固に結合され、かつ前記第２の結合部分は前記丸刃ハウジングに堅固に結合され、さらに、前記スライド機構は第１の結合部分と第２の結合部分の間に配置されている請求項９に記載の丸鋸。
【請求項１１】
環状の第１および第２の凹部が前記第１及び第２の結合部分の外周面にそれぞれ設けられており、前記結合部材は、さらに、
可撓性材料からなる分割リングであって、前記分割リングの内周面に環状の第１および第２の延長部を有し、前記第１および第２の凹部は、環状の前記第１および第２の延長部をそれぞれ受容するように適合されている分割リング、および
前記分割リングを閉じる閉鎖装置
を備える請求項１０に記載の丸鋸。
【請求項１２】
前記第１および第２の凹部および前記第１および第２の延長部は傾斜壁を有し、該傾斜壁は、前記第１及び第２の結合部分の、前記第１および第２の凹部の間の部分、および、前記分割リングの、前記第１および第２の延長部間に形成される凹部が、前記分割リングの半径方向外側に向かって先細りになるように傾斜しており、前記第１の凹部の該傾斜壁と前記第１の延長部の該傾斜壁、および前記第２の凹部の該傾斜壁と前記第２の延長部の該傾斜壁が互いに接触するように配置されている請求項１１に記載の丸鋸。
【請求項１３】
前記分割リングは鋼からなる請求項１１に記載の丸鋸。
【請求項１４】
前記スライド機構はリング状である請求項９に記載の丸鋸。
【請求項１５】
前記第１の握り部軸線はわずかに湾曲している請求項２に記載の丸鋸。
【請求項１６】
前記第２の握り部軸線はわずかに湾曲している請求項３に記載の丸鋸。
【請求項１７】
前記結合部材は、バヨネット式である請求項１に記載の丸鋸。
【請求項１８】
バヨネット式の前記結合部材は、
前記ユニットに結合または一体化された第１のエレメント、および
前記丸刃ハウジングに結合または一体化された第２のエレメント
を備え、前記第１のエレメントと前記第２のエレメントとは互いに係合可能となっている、請求項１７に記載の丸鋸。
【請求項１９】
前記第１のエレメントは、
複数の凹部と、それらの間の、高さが所定の高さ（ｈ）の複数の放射状歯とを備え、
前記第２のエレメントは、
所定の厚みをそれぞれ有する複数の放射状突起部であって、前記第１のエレメントを前記ユニットの回転軸線の周りに回転することにより、前記放射状突起部がそれぞれ前記放射状歯の一つの後部に係合するように、前記凹部に挿入される放射状突起部を備える請求項１８に記載の丸鋸。
【請求項２０】
前記丸鋸は、さらに、
前記ユニットと前記丸刃ハウジングのスライド面の間に配置され、粘弾性物質からなり、前記ユニットと前記丸刃ハウジングに対してスライドして回転するエレメント
備える請求項１に記載の丸鋸。
【請求項２１】
前記丸刃ハウジングと前記ユニットとの間の振動を緩衝する緩衝エレメントを備える請求項１に記載の丸鋸。
【請求項２２】
緩衝エレメントは、粘着性物質からなるか、または衝撃吸収材である請求項２１に記載の丸鋸。
【請求項２３】
前記ユニットの回転軸線は、前記電動機の軸の回転軸線またはこれに平行な軸線と一致している請求項１に記載の丸鋸。
【請求項２４】
前記閉鎖装置はレバーを備える請求項１１に記載の丸鋸。
【発明の詳細な説明】
【技術分野】
【０００１】
本発明は、新規なハンドル装置を備える電動工具（好ましくは丸鋸）に関するものである。
【背景技術】
【０００２】
電動工具は一般にハウジングまたは本体からなり、その内部には、回転工具エレメントに減速ギアを介して接続されたシャフトを有する電動機が配置されている。ハウジングは一般に握り部を備え、ユーザーが工具エレメント保持し駆動することができるようになっている。たいていの場合、本体には操作中にワークピース上に機械を支持するシュープレート（ｓｈｏｅ  ｐｌａｔｅ）を設けてある。
【０００３】
現在市販されている電動工具はほとんどすべてハウジングと工具エレメントと一体に形成された握り部を有する。そのような電動工具の欠点は、垂直または斜めのワークピースまたは非常に長いワークピースを操作する際に操作者が比較的に長い距離を移動しなければならず、そのため腕や手を伸ばさなければならないということである。握り部の位置が固定されていると、機械の手動制御を妨げ、ワークピースが正確でなくなる。これは生産性にとって不利である。もっとも大事なことは、操作者にとって危険であるかもしれないということである。
【０００４】
鋸刃の目の深さを調整する時に同じ欠点が顕れる。この場合、工具エレメントのシュープレートに対する位置が変わると、握り部の位置も変わるので、上述の欠点が生じる。
【０００５】
例えば、特許文献１はワンピースのハウジングと回転可能な握り部を有する丸鋸を開示している。握り部は２つの位置に位置することが可能である。第１の位置は「押位置」であり、この位置では工具が切削方向にまっすぐに押される。第２の位置は「頂部位置」であり、この位置では握り部が工具に垂直に調整される。この構成では、ユーザーには２つの位置の間でだけ握り部の位置を変える選択肢が与えられる。さらに、これら２つの位置の間で握り部を調整するステップは非常に複雑で長い。実地では、電力コードを安全上の理由からプラグから外し、握り部のロックを解除し、その位置を調整し、握り部をロックし、電力コードを再びプラグに挿す等の動作が必要である。そのように操作が長いと、ユーザーは握り部の位置をまったく変えなくなってしまう。
【０００６】
例えば、特許文献２は電動機のハウジングと刃のハウジングが一つのユニットを形成し、かつシュープレートに固定されている丸鋸を開示している。握り部を調整するためには、工具はレバーとスプリングとの複雑な機構を有し、誤って電動工具のスイッチが入ることがないようになっている。長期間経過すると、この機構自体にも連続的応力にさらされる他の部品にもある程度遊びが生じることがある。レバーとスイッチの間の遊びが過剰であると、機械の機能性とおそらくは安全性とが損なわれ、ユーザーにとって危険である。第２に、電力スイッチ（は可動性の握り部上に配置され、握り部とともに回転（旋回）するが、この電力スイッチ）を電動機に接続する電気ケーブルは、握り部が新しい位置に調整される度に、捩じりと曲げを受ける。柔軟で可撓性のケーブルを使用しても、時間の経過とともに、ケーブルが破損する危険が増し、危険な短絡が起きる可能性が生じる。
【０００７】
【特許文献１】米国特許第４５１６３２４号明細書
【特許文献２】米国特許第６５８８１１２号明細書
【発明の開示】
【発明が解決しようとする課題】
【０００８】
本発明の目的
本発明の一つの目的は、容易かつ快適に使用することができ、効率的および（もっとも重要なことに）安全な電動工具を提供することである。
【０００９】
本発明の別の目的は、ユーザーが握り部の位置を連続的に、容易にかつ安全に調整することができる電動工具を提供することである。
【００１０】
本発明のさらに別の目的は、軽量であるが、強度があり、信頼性のある電動工具を提供することである。
【００１１】
本発明のさらに別の目的は、ユーザーが握り部の位置を変えている際でさえも正確な作業を行うことができる電動工具を提供することである。
【００１２】
本発明のさらに別の目的は、信頼性の高い、耐用年数の長い電動工具を提供することである。
【００１３】
本発明のさらに別の目的は、上述の従来技術の欠点のない電動工具を提供することである。
【課題を解決するための手段】
【００１４】
発明の要約
第１の態様によると、本発明は、
ａ）ワークピースに作用する丸刃、
ｂ）前記丸刃を収容し、支持する丸刃ハウジング、
ｃ）電動機であって、該電動機の軸の回転軸線（Ｙ）が前記丸刃の回転軸線（Ｘ）と平行である電動機
ｄ）前記電動機を支持する電動機ハウジング、
ｅ）前記電動機から前記丸刃にエネルギーを移送する伝導装置、
ｆ）前記丸刃を前記ワークピースに対して移動させるための握り部であって、前記電動機ハウジングと前記握り部とは一体的なユニットとなっており、該ユニットは、丸鋸の動作中に、前記丸刃ハウジングに対して該ユニットの回転軸線の周りに回転可能である握り部、および
ｇ）前記ユニットを前記丸刃ハウジングに結合する結合部材
を備える丸鋸を提供する。
【００１５】
本発明によれば、丸刃ハウジングと電動機ハウジングは相互に固定されて単一の部材（ワンピース）を形成することはないが、操作者が相互に回転させることができる。このため、ユーザーは電力スイッチをオフにすることなく、簡単に、安全に、かつ効果的に握り部の位置を調整することができ、生産性が向上する。例えば、正規運転時に、ユニットと丸刃ハウジングが操作者の選択した相対的角度配置になるように、ユニットを保持する。この所望の相対的角度配置は作業の状況に従って変化する。例えば、至近距離の切断作業を行った後、操作者がワークピースのより遠い部分の切断作業をするために他の相対的角度配置を選択する。
【００１６】
好ましくは、握り部は、
電動機の軸の回転軸線から離隔し、かつこれに本質的に垂直な第１の握り部軸線を有する第１の握り部分を備える。第１の握り部軸線はわずかに湾曲しているのが好ましい。
【００１７】
好ましくは、握り部は、
第２の握り部軸線を有する第２の握り部分を備える。第２の握り部軸線は電動機の軸の回転軸線に本質的に平行であるのが好ましい。第２の握り部軸線はわずかに湾曲しているのが好ましい。
【００１８】
第１および第２の握り部分は、典型的には角度的に（好ましくは約９０°）変位している。第２の握り部分は、第１の握り部分のほぼ中間部分に隣接して配置することができる。第１および第２の握り部分を備える実施の形態は、ワークピースを精密に取り扱う際に操作者にとって非常に快適であるので、好都合である。
【００１９】
第１の握り部分は後方握り部材を有していてもよい。この握り部材は、電動機の軸の回転軸線から離隔し、かつこれに本質的に垂直な第１の握り部軸線を有していてもよい。第２の握り部分は第２の握り部軸線を有する後方握り部材を有していてもよい。第２の握り部軸線は電動機の軸の回転軸線に本質的に平行に配置することができる。
【００２０】
好ましくは、上述のユニットは丸刃ハウジングに対して９０°以下の角度で回転可能である。角度制限装置を配置して過剰回転を防止することができる。操作者がユニットを丸刃ハウジングに対してユニットの回転軸線の周りに回転することができ、このユニットの回転軸線は電動機の軸の回転軸線またはこれに平行な軸線と一致していてもよい。
【００２１】
好ましくは、電動機が静止している際に、ユニットは丸刃ハウジングに対して所望の角度配置で固定可能である（例えば、ロックされる）。
【００２２】
好ましくは、ユニットは丸刃ハウジングに対してスライドして回転可能である。例えば、ユニットと丸刃ハウジングの隣接する両端面を結合部材によりスライド可能に結合することができる。スライド機構を用いてスライド可能な結合を容易にすることができる。結合部材は典型的にはユニットを丸刃ハウジングに軸線方向に（例えば、電動機の軸の回転軸線と実質的に一致する軸線またはこれに対して実質的に平行な軸線、例えば丸刃の回転軸線に沿って）結合する。
【００２３】
好適な実施の形態において、結合部材は、
ユニットと丸刃ハウジングとが互いに対してスライドして回転できるようにするスライド機構を備える。好ましくは、スライド機構はスライドリングの形態である。スライドリングはユニットと丸刃ハウジングとが互いに対してスライドして回転できるようにするゴムで形成することができる。スライド機構はリング状の第１及び第２の結合部分の間に配置することができる。
【００２４】
特に好ましくは、結合部材は、
リング状の第１の結合部分とリング状の第２の結合部分を備え、第１の結合部分はユニットに堅固に結合され（または一体化され）、かつ第２の結合部分は丸刃ハウジングに堅固に結合され（または一体化され）、さらに、スライド機構は第１の結合部分と第２の結合部分の間に配置されている。
【００２５】
さらに好ましくは、環状の第１および第２の凹部が第１及び第２の結合部分の外周面にそれぞれ設けられており、結合部材は、さらに、
可撓性材料からなる分割リングと、分割リングを閉じる閉鎖装置とを備え、分割リングはその内周面に環状の第１および第２の延長部を有し、第１および第２の凹部は、環状の第１および第２の延長部をそれぞれ受容するように適合されている（すなわち、分割リングが開いている場合）。
【００２６】
さらに好ましくは、第１および第２の凹部および前記第１および第２の延長部は、傾斜壁を有し、傾斜壁は、第１及び第２の結合部分の、第１および第２の凹部の間の部分、および、分割リングの、第１および第２の延長部間に形成される凹部が、分割リングの半径方向外側に向かって先細りになるように傾斜しており、第１および第２の凹部の傾斜壁と第１および第２の延長部の傾斜壁が互いに接触するように配置されている。
【００２７】
分割リングは鋼製であるのが好ましい。スライド機構は分割リング内に拘束されるようにしてもよい。
【００２９】
好ましくは、結合部材はバヨネット式（ｂａｙｏｎｅｔ ｔｙｐｅ）のものである。特に好ましくは、バヨネット式の結合部材は、
ユニットに結合または一体化された第１のエレメント、および
丸刃ハウジングに結合または一体化された第２のエレメント
を備え、第１のエレメントと第２のエレメントとは互いに係合する構造となっている。
【００３０】
第２のエレメントは第２のリング状結合部分を含んでいてもよい。第１のエレメントは第１のリング状結合部分を含んでいてもよい。
【００３１】
好適な一実施の形態では、第１のエレメントは、
複数の凹部と、それらの間の、高さが所定の高さ（ｈ）の複数の放射状歯とを備え、
第２のエレメントは、
複数の放射状突起部を備え、これらの放射状突起部は所定の厚み（ｄ）をそれぞれ有し、それにより、第１のエレメントをユニット回転軸線の周りに回転することにより、放射状突起部がそれぞれ放射状歯の一つの後部に係合するように、凹部に挿入可能である。
【００３２】
好ましくは、丸鋸は、さらに、
ユニットと丸刃ハウジングのスライド面の間に配置され、粘弾性物質からなり、ユニットと丸刃ハウジングに対してスライドして回転するエレメントを備える。
【００３３】
好ましくは、丸鋸は、さらに、
丸刃ハウジングとユニットとの間の振動を緩衝する緩衝エレメントを備える。好ましくは、緩衝エレメントは粘着性物質からなるか、または衝撃吸収材である。
【００３４】
ユニットの回転軸線は電動機の軸の回転軸線またはこれに平行な軸線（例えば、丸刃の回転軸線）と一致しているのが好ましい。
【００３５】
電動機を主電源に接続する電力スイッチを握り部上に（例えば、操作者の人指し指で操作できるように）配置することができる。
【００３６】
本発明の追加の特徴及び利点は以下の好適な実施の形態の詳細な説明から明かになるであろう。
【発明を実施するための最良の形態】
【００３７】
好適な実施の形態の詳細な説明
図１〜７に示す電動工具は丸鋸１である。丸鋸１は工具軸線Ｘを定義する丸刃２と、工具軸線Ｘの周りに丸刃２を回転可能に収容し、支持する危険防止用ハウジング３と、電動機４とを備え、電動機４は電動機ハウジング４ａおよび工具軸線Ｘに平行な縦軸中心線Ｙを定義する軸５を有する。伝動装置６は、軸５を丸刃２に結合して電動機４から丸刃２へエネルギーを移送するギアシステムを含む。伝動装置６は電動機の軸５の端部に位置するピニオン３２を備える減速機構を有していると有利である。ピニオン３２は丸刃２の軸３５に結合されたギアシステム３４を駆動する（図５参照）。この場合、工具軸線Ｘと縦軸中心線Ｙは実質的に相互に平行であることに気付くであろう。
【００３８】
第１のＵ字状握り部分７および第２のＵ字状握り部分３７が設けられており、操作者は手動で丸鋸１を移動する。第１および第２の握り部分７、３７はそれぞれ危険防止用ハウジング３に堅固に取り付けられている。スイッチ手段８（安全ボタンを含む）が第１の握り部分７上に設けられており、主電源に取り付けられたケーブルホルダ４ｈと電力コード４ｐとを介して電動機４を主電源に電気的に接続するようにしている。危険防止用ハウジング３と電動機ハウジング４ａはシュープレート３９により支持される。シュープレート３９は操作者により操作時にワークピースに沿って案内される。危険防止用ハウジング３はシュープレート３９に固定されるが、ハウジング４ａはシュープレート３９の表面に対して旋回させることができる。
【００３９】
第１の握り部分７の第１の握り部軸線ａは、縦軸中心線Ｙに離隔してかつ本質的に垂直である。第２の握り部分３７の第２の握り部軸線ｂは、縦軸中心線Ｙに対して本質的に平行に配置されている。握り部軸線ａ，ｂは、ともに、図１および図２に示すように、若干湾曲している。操作者は、操作時に、第１および第２の握り部分７，３７をもって丸鋸１を保持することができる。
【００４０】
縦軸中心線Ｙに対して、第１および第２の握り部分７，３７は約９０°角度的に離れている。第２の握り部分３７は第１の握り部分７の中央部に隣接して配置される。
【００４１】
電動機４、第１および第２の握り部分７，３７、並びに第１の握り部分７上のスイッチ手段８を組み立ててモノリシック・ユニット９を形成する。ユニット９は、操作者が危険防止用ハウジング３に対して、本発明では縦軸中心線Ｙと一致するユニット回転軸線の周りに回転させることができる。
【００４２】
図２〜４、６および７に詳細に示すように、丸鋸１は、ユニット９を危険防止用ハウジング３に作用的に結合する結合部材１０を備えている。結合部材１０は、雌エレメント１１および雄エレメント１２を含む取付刃型のものである。雌エレメント１１はユニット９に結合されるのに対して、雄エレメント１２は危険防止用ハウジング３に結合される。雌エレメント１１および雄エレメント１２はいずれも本質的にリング状である。第１の結合部分１１ｃは雌エレメント１１の一体的な部分である。同様に、第２の結合部分１２ｃは雄エレメント１２の一体的な部分である。
【００４３】
図３から明かなように、雌エレメント１１は、フランジ１５に設けられた３つの凹部１４を有し、これら凹部１４は円筒状片１６から延び、かつ相互に（角度αだけ）離れており、所定の高さｈの３つの歯２９が間に配置されている。また、雄エレメント１２は３つの突起部１３を有し、これら突起部１３は角度的に（角度αに相当する量だけ）等距離であり、かつ所定の厚さｄを有し、それらの間に３つの凹部を有する。円筒状片１６から測定した歯２９の高さｈは、各突起部１３の厚さｄと少なくとも同じである。縦軸中心線Ｙに沿って回転させることにより、突起部１３は雌エレメント１１の凹部１４に入る。雄エレメント１２を挿入し、縦軸中心線Ｙの周りに約６０°回転させた後、各突起１３は雌エレメント１１の歯２９の一つにより捉えられ、その背後に係合する。
【００４４】
回転時に、突起１３が対応する凹部１４から誤って開放されることがないように、雄エレメント１２と雌エレメント１１は角度拘束装置（図には示さない）を備えていてもよい。
【００４５】
丸鋸１はロック部材１８を設けて雄エレメント１２と雌エレメント１１が開放され分離されないようにしている。ロック部材１８は、不使用時には開いている分割リング１９を備える。分割リング１９は、内周面に第１および第２の側方環状延長部２０ａ，２０ｂを有し、これら側方環状延長部２０ａ，２０ｂは、第１および第２の結合部分１１ｃ，１２ｃの外周面の第１および第２の環状凹部２０ｐ，２０ｑにそれぞれ係合するように適合されている（図６および図７参照）。分割リング１９は、わずかに可撓性を有し、鋼で作製することができる。凹部２０ｐ，２０ｑ並びに延長部２０ａ，２０ｂはすべて傾斜壁を有する。分割リング１９が閉じると、圧力がこれらの傾斜壁にかかる。ロック力を調整するために、分割リング１９はねじ止め具２３を有する。特に、ねじ止め具２３は、ねじ付きホルダ２４にピン２５ａにより取付け可能なレバー２５を備える。ホルダ２４の端部は分割リング１９の曲げられた終端片にナット２４ａによりねじ止めすることができる。
【００４６】
滑動リング２６が結合部分１１ｃ，１２ｃの間に、かつ分割リング１９の内部で延長部２０ａ，２０ｂの間に配置され、ユニット９と危険防止用ハウジング３との間で滑動回転するようにしている。図示の実施の形態では、滑動リング２６はゴムのような粘弾性物質からなる。丸鋸１の操作者が第１および第２の握り部分７，３７に回転力を及ぼさなくなると、すぐに回転は停止する。
【００４７】
雄エレメント１２と雌エレメント１１の表面の間の粘弾性リング２６のおかげで、操作者がより快適な切断位置を突き止めるときに円滑かつ安全な動きが保証される。このためには、丸鋸１の操作時でさえも、ユーザーは第１および第２の握り部分７，３７を回転することができることは本発明の有利な特徴である。換言すると、丸鋸１の操作時に、操作者は第１および第２の握り部分７，３７の位置を簡単かつ安全に変えることができる。
【００４８】
再び強調すべきことは、図示された実施の形態においては、電動機４、第１および第２の握り部分７，３７、並びにスイッチ８はともにユニット９を構成し、このユニット９は危険防止用ハウジング３に対して縦軸中心線Ｙの周りに回転可能である、ということである。従って、握り部分７，３７並びに操作者の両手を、作業時に、より快適な位置に変えることができる。
【図面の簡単な説明】
【００４９】
【図１】本発明の一実施の形態による丸鋸の斜視図である。
【図２】図１に示す丸鋸の展開図である。
【図３】図２に示す丸鋸の部品の斜視図であり、エレメント１１（左側）は図２に示すエレメント１１と比べて向きを変えてある。
【図４】図２に示す丸鋸の展開図に対応する拡大図である。
【図５】図１の矢印Ｖに沿う軸線Ｙを横切る軸平面の部分断面図である。
【図６】工具ハウジングと図１の実施の形態のモノリシック・ユニットとの間に配置された結合部材の断面図である。
【図７】図６に示す結合部材の部分図であり、結合部材の雄エレメントがＹ軸の周りに回転した図である。
【符号の説明】
【００５０】
１  丸鋸
２  丸刃
３  危険防止用ハウジング
４  電動機
４ａ  電動機ハウジング
４ｈ  ケーブルホルダ
４ｐ  電力コード
５  軸
６  伝動装置
７  第１のＵ字状握り部分
８  スイッチ手段
９  モノリシック・ユニット
１０  結合部材
１１  雌エレメント
１１ｃ  第１の結合部分
１２  雄エレメント
１２ｃ  第２の結合部分
１３  突起部
１４  凹部
１５  フランジ
１６  円筒状片
１８  ロック部材
１９  分割リング
２０ａ  第１の側方環状延長部
２０ｂ  第１の側方環状延長部
２０ｐ  第１の環状凹部
２０ｑ  第２の環状凹部
２３  ねじ止め具
２４  ねじ付きホルダ
２４ａ  ナット
２５  取付け可能なレバー
２５ａ  ピン
２６  滑動リング（粘弾性リング）
２９  歯
３２  ピニオン
３４  ギアシステム
３５  軸
３７  第２のＵ字状握り部分
３９  シュープレート
ａ  第１の握り部軸線
ｂ  第２の握り部軸線
ｄ  厚さ
ｈ  高さ
Ｘ  工具軸線
Ｙ  縦軸中心線
【図１】
0005010116.tif 000002
【図２】
0005010116.tif 000003
【図３】
0005010116.tif 000004
【図４】
0005010116.tif 000005
【図５】
0005010116.tif 000006
【図６】
0005010116.tif 000007
【図７】
0005010116.tif 000008